(57)【特許請求の範囲】
【請求項１】
第一の屈折力を持つ遠用部と、前記第一の屈折力よりも大きな第二の屈折力を持つ近用部と、これらの遠用部と近用部との間に設けられた累進部とを備え、
主子午線上のうち前記累進部の前記遠用部側の端部に設けられた累進開始点と前記累進部の近用部側の端部に設けられた累進終了点との間で屈折力が変化する累進屈折力眼鏡レンズを設計する方法であって、
フィッティングポイントの位置を０とし、前記フィッティングポイントに対して前記遠用部側の位置を正とし、前記近用部側の位置を負とした場合、
加入度が大きい場合には、前記累進開始点の主子午線上の位置を正の方向に変化させるとともに前記累進開始点と前記累進終了点とで規定される累進帯長を長くし、
前記加入度が小さい場合には、前記累進開始点の主子午線上の位置を負の方向に変化させるとともに前記累進帯長を短くし、
かつ、前記加入度の大小にかかわらず前記フィッティングポイントから前記累進終了点までの距離が一定であることを特徴とする累進屈折力眼鏡レンズの設計方法。
【請求項２】
請求項１に記載された累進屈折力眼鏡レンズの設計方法において、
前記フィッティングポイントに対する前記累進開始点の主子午線上の位置をＳとし、加入度をＡｄｄとし、パラメーターをａ，ｂとすると、
Ｓｍｍ＝ａ・Ａｄｄ−ｂ          （１）
３≦ａ≦５              （２）
８ｍｍ≦ｂ≦１２ｍｍ        （３）
の関係を満たすことを特徴とする累進屈折力眼鏡レンズの設計方法。
【請求項３】
請求項２に記載された累進屈折力眼鏡レンズの設計方法において、
累進開始点Ｓの制限パラメーターをｃとすると、
−３ｍｍ≦ｃ＜０ｍｍ        （４）
Ｓｍｍ≦ｃ                  （５）
の関係を満たすことを特徴とする累進屈折力眼鏡レンズの設計方法。
【請求項４】
請求項３に記載された累進屈折力眼鏡レンズの設計方法において、
前記加入度が２．００ディオプトリー以上の場合には前記フィッティングポイントに対する前記累進開始点Ｓの位置を−２ｍｍと一定にすることを特徴とする累進屈折力眼鏡レンズの設計方法。
【請求項５】
請求項２に記載された累進屈折力眼鏡レンズの設計方法において、
累進開始点Ｓの制限パラメーターをｆとすると、
−６ｍｍ≦ｆ        （６）
ｆ≦Ｓｍｍ          （７）
の関係を満たすことを特徴とする累進屈折力眼鏡レンズの設計方法。 
【発明の詳細な説明】
【技術分野】
【０００１】
本発明は、遠方視に対応する屈折力を持つ遠用部と、近方視に対応する屈折力を持つ近用部と、これらの遠用部と近用部との間に設けられた累進部とを備えた累進屈折力眼鏡レンズの設計方法に関する。
【背景技術】
【０００２】
眼鏡レンズには単焦点眼鏡レンズの他に、累進屈折力眼鏡レンズがある。
この累進屈折力眼鏡レンズとして、遠方視に対応する屈折力（度数）を持つ遠用部と、近方視に対応する屈折力を持つ近用部と、これらの遠用部と近用部との間に設けられた累進部と、この累進部の両側に設けられた中間側方部とを備えた非球面レンズがある。
遠用部と近用部との間に設けられた累進部では、装用時に頻繁に視線が通過する軌跡である主子午線上の累進開始点と累進終了点との間は加入度が連続して変化した累進面とされる。
【０００３】
従来の累進屈折力眼鏡レンズには、累進開始点と累進終了点とで規定される累進帯長と、遠用部の屈折力と近用部の屈折力の差である加入度とが種々の関係にあるものが知られている。
例えば、累進部と遠用部との境界部分を累進開始点とし累進部と近用部との境界部分を累進終了点とし、これらの累進開始点と累進終了点との間に累進帯長を設け、この累進帯長を、加入度が大きくなるほど長くする従来例（特許文献１）や、遠用部と中間部の境界線と主子午線との交点から主子午線上の累進開始点までの距離と、累進帯長とを、加入度が大きくなるにつれて減少させる従来例（特許文献２）がある。
【先行技術文献】
【特許文献】
【０００４】
【特許文献１】特開昭５４−８５７４３号公報
【特許文献２】特開昭６４−３２２２７号公報
【発明の概要】
【発明が解決しようとする課題】
【０００５】
特許文献１で示される従来例では、累進部と遠用部との境界部分に正面視した視線が当たるように設定されているので、眼鏡装用者が遠用部から累進部を通って近用部にかけて視線を移動させる際、正面視した視線が当たる境界点を境に度数変化が生じる。
この境界点を境にする度数変化は、累進屈折力眼鏡レンズを装用して間もない初心者では、違和感を覚え、その結果、累進屈折力眼鏡レンズに慣れにくく、使用勝手が悪くなるという課題がある。
【０００６】
特許文献２で示される従来例では、加入度が大きくなると累進帯長が短くなるとともに、加入度の大きさに反比例して累進帯長が短くなる設計がされている。特許文献２で示される従来例では、老視が進んで加入度を大きなものにしなればならない場合、短い累進帯長で加入度変化を大きくする必要があるので、加入度勾配が急減に変化し、その結果、眼が疲れたりして使用勝手が悪いものとなるという課題がある。
【０００７】
本発明の目的は、初心者であっても老視が進んだ装用者であっても使用勝手がよい累進屈折力眼鏡レンズの設計方法を提供することにある。
【課題を解決するための手段】
【０００８】
本発明の累進屈折力眼鏡レンズの設計方法は、第一の屈折力を持つ遠用部と、前記第一の屈折力よりも大きな第二の屈折力を持つ近用部と、これらの遠用部と近用部との間に設けられた累進部とを備え、主子午線上のうち前記累進部の前記遠用部側の端部に設けられた累進開始点と前記累進部の近用部側の端部に設けられた累進終了点との間で屈折力が変化する累進屈折力眼鏡レンズを設計する方法であって、加入度が大きい場合には、フィッティングポイントに対する前記累進開始点の主子午線上の距離を小さくするとともに前記累進開始点と前記累進終了点とで規定される累進帯長を長くし、前記加入度が小さい場合には、前記フィッティングポイントに対する前記累進開始点の主子午線上の距離を大きくするとともに前記累進帯長を短くし、かつ、前記加入度の大小にかかわらず前記フィッティングポイントから前記累進終了点までの距離が一定であることを特徴とする。
【０００９】
ここで、遠用部とは、第一の屈折力をもつ部分であり、一般には、遠方屈折力をもつ部分を指す。本発明では、遠方屈折力を持つ部分ではなく、中間距離の目標物を見る屈折力を有する部分でも良く、近距離の目標物を見る近方屈折力であっても良い。
この構成の本発明では、累進屈折力眼鏡レンズを初心者が装用する場合、レンズの加入度の勾配を小さくし、正面視した視線が当たるフィッティングポイントに対する累進開始点の主子午線上の距離が大きく設計されている。すると、フィッティングポイントを中心とした視野範囲に度数変化部分が入らないため、初心者にとっては、単焦点レンズのような広い遠用視界を得ることができるので、違和感がなくなり、累進屈折力眼鏡レンズに直ぐ慣れることになる。また、加入度の勾配が小さいので、非点収差が小さくなり眼が疲れるということも少ない。
そして、初心者の加入度が進んで一般の累進屈折力眼鏡レンズに掛け替える場合、一般の累進屈折力眼鏡レンズはフィッティングポイントから加入度が累進していることが多い。本発明では、加入度が上がる度に累進開始点がフィッティングポイントに近くなっているので、一般の累進屈折力レンズにステップアップしやすい。
累進屈折力眼鏡レンズを老視が進んだ装用者が装用する場合、加入度が大きくなり、その結果、累進帯長が長く設計されることになる。そのため、加入度の勾配の増加が緩やかであり、眼が疲れることがない。なお、老視が進んだ装用者は初心者とは異なり、累進屈折力眼鏡レンズをかけ慣れているので、フィッティングポイントに近い位置から累進開始点が設定されても、違和感がない。
以上の累進屈折力眼鏡レンズでは、加入度の大小にかかわらずフィッティングポイントから累進終了点までの距離（眼球の下方回旋量）が一定となるように設計されているため、レンズ自体の大きさを考慮した設計をすることができる。
【００１０】
本発明では、前記フィッティングポイントの位置を０とし、フィッティングポイントに対して前記遠用部側の位置を正とし、前記近用部側の位置を負とした場合、前記フィッティングポイントに対する前記累進開始点の主子午線上の位置をＳとし、加入度をＡｄｄとし、パラメーターをａ，ｂとすると、
Ｓｍｍ＝ａ・Ａｄｄ−ｂ          （１）
３≦ａ≦５              （２）
８ｍｍ≦ｂ≦１２ｍｍ        （３）
の関係を満たす構成が好ましい。
この構成の本発明では、フィッティングポイントから前記累進開始点Ｓの位置を求める。そのため、装用者に応じて、遠用部の度数、近用部の度数、加入度Ａｄｄを別途求め、さらにはパラメーターａ，ｂを設定し、種々な条件の下で効率的なレンズ設計を実施することができる。
【００１１】
本発明では、前記累進開始点Ｓの累進開始点制限パラメーターをｃとすると、
−３ｍｍ≦ｃ＜０ｍｍ        （４）
Ｓｍｍ≦ｃ                  （５）
の関係を満たす構成が好ましい。
この構成の本発明では、累進開始点Ｓの主子午線上の位置の制限パラメーターｃを設定することで、より設計が容易な累進屈折力眼鏡レンズを提供することができる。
つまり、加入度Ａｄｄが大きいと、累進帯長が長くなり過ぎて、累進終了点がレンズ周縁部から外れたり、近接し過ぎたりして、レンズ設計ができないことになるので、本発明では、実際のレンズ設計が可能となるように累進開始点制限パラメーターｃを規定することにした。
【００１２】
本発明では、前記加入度が２．００ディオプトリー以上の場合には前記フィッティングポイントに対する前記累進開始点Ｓの位置を−２ｍｍと一定にする構成が好ましい。
この構成の本発明では、加入度が２．００ディオプトリーを超えないように設定されることが多く、この条件下での実際のレンズ設計が可能となる。
【００１３】
本発明では、累進開始点Ｓの制限パラメーターをｆとすると、
−６ｍｍ≦ｆ        （６）
ｆ≦Ｓｍｍ          （７）
の関係を満たす構成が好ましい。
この構成の本発明では、下方における累進開始点Ｓの制限パラメーターｆを設定し、合理的なレンズ設計が可能となる。
【図面の簡単な説明】
【００１４】
【図１】本発明の一実施形態にかかる累進屈折力眼鏡レンズが示されており、（Ａ）は遠用部、近用部、累進部、主子午線が表示される正面図、（Ｂ）は主子午線上の加入度変化を示すグラフ。
【図２】主子午線上の加入度変化を示すグラフであり、（Ａ）は加入度が小さい場合、（Ｂ）は加入度が大きい場合、（Ｃ）は加入度が大きく累進開始点がフィッティングポイントより遠用部側に位置した場合を示す。
【発明を実施するための形態】
【００１５】
本発明の一実施形態を図面に基づいて説明する。
図１（Ａ）は本実施形態にかかる累進屈折力眼鏡レンズの正面図であり、図１（Ｂ）は主子午線上の屈折力の変化を示すグラフである。
図１（Ａ）において、累進屈折力眼鏡レンズは、遠方視に対応する屈折力を持つ遠用部１と、近方視に対応する屈折力を持つ近用部２と、これらの遠用部１と近用部２との間に設けられた累進部３と、この累進部３の両側に設けられた中間側方部４とを備えている。図１（Ａ）において、右側が耳側であり、左側が鼻側である。
遠用部１と累進部３との境界部分に境界線Ｑ１を示し、累進部３と近用部２との境界部分に境界線Ｑ２を示す。
【００１６】
遠用部１、累進部３及び近用部２にかけて主子午線Ａが設けられている。この主子午線Ａは装用時に頻繁に視線が通過するレンズ上の位置であり、遠用部１ではほぼ中央部に上下に沿って設けられ、累進部３では、上部が遠用部１に設けられる主子午線Ａに沿って設けられ、途中から鼻側に向けて傾斜するように設けられ、近用部２では、上下に延びて設けられている。遠用部１と近用部２とにそれぞれ設けられた主子午線Ａは平行である。
近用部２では、主子午線Ａは近距離を見るときの輻輳により鼻側に偏寄している。
【００１７】
主子午線Ａと境界線Ｑ１との交点は、正面視した視線が通るフィッティングポイントＦである。主子午線Ａの上であってフィッティングポイントＦから距離ｄだけ離れた位置が累進開始点Ｓとされ、主子午線Ａと累進部３及び近用部２の境界線Ｑ２との交点が累進終了点Ｅとされる。主子午線Ａの累進開始点Ｓと累進終了点Ｅとの間は加入度が連続して変化した累進面とされる。
この累進開始点Ｓと累進終了点Ｅとの間の上下方向、の長さが累進帯長Ｌであり、上下方向と直交する左右方向に沿った長さが内寄せ量Ｉである。
【００１８】
図１（Ｂ）に示される通り、主子午線Ａの上では、度数は、遠用部１からフィッティングポイントＦまでが度数Ｄ１であり、さらに、フィッティングポイントＦから累進開始点Ｓまでが度数Ｄ１であり、累進開始点Ｓから累進終了点Ｅにかけて度数Ｄ１からＤ２に増加し、累進終了点Ｅから近用部２の下部にかけて度数がＤ２とされる。
度数Ｄ２と度数Ｄ１との差が加入度Ａｄｄである。
【００１９】
本発明の累進屈折力眼鏡レンズを設計する方法の第１実施形態を、図２に基づいて説明する。
まず、装用者毎に、度数Ｄ１，Ｄ２、加入度Ａｄｄを測定し、さらに、フィッティングポイントＦから累進終了点Ｅまでの距離Ｍ、つまり、眼鏡装用者の眼球の下方回旋量を求める。下方回旋量は、眼球が水平視した位置から下方まで回旋した際の視線のレンズ上の移動距離である。
さらに、後述する通り、加入度に応じて主子午線ＡのフィッティングポイントＦから累進開始点Ｓまでの距離ｄを求める。
【００２０】
図２（Ａ）は加入度が小さい場合の主子午線上の加入度変化を示すグラフであり、図２（Ｂ）は加入度が大きい場合の主子午線上の加入度変化を示すグラフであり、図２（Ｃ）は加入度が大きく累進開始点ｓがフィッティングポイントＦより遠用部側に位置した場合の主子午線上の加入度変化を示すグラフである。
加入度Ａｄｄが小さい場合には、図２（Ａ）に示される通り、フィッティングポイントＦに対して累進開始点Ｓを大きく離隔して距離ｄを長くするとともに累進帯長Ｌを短くし、加入度Ａｄｄが大きい場合には、図２（Ｂ）に示される通り、フィッティングポイントＦに対する累進開始点Ｓの位置を近接させて距離ｄを短くするとともに累進帯長Ｌを長くし、さらに、加入度Ａｄｄがより大きい場合には、図２（Ｃ）の実線で示される通り、累進開始点ｓをフィッティングポイントＦより遠用部側に位置させる。
【００２１】
本実施形態では、加入度Ａｄｄの大小にかかわらずフィッティングポイントＦから累進終了点Ｅまでの距離Ｍは一定である。
ここで、フィッティングポイントＦから累進終了点Ｅまでの距離ＭはフィッティングポイントＦに対する累進開始点Ｓの主子午線上の距離ｄと累進開始点Ｓと累進終了点Ｅとの間の累進帯長Ｌとの合計（Ｍ＝ｄ＋Ｌ）である。
この距離Ｍは、装用者によって値が相違するが、通常、１０ｍｍから２０ｍｍ程度である。
【００２２】
フィッティングポイントＦの位置を０とし、フィッティングポイントＦに対して遠用部側を正とし、前記近用部側を負とし、加入度をＡｄｄとし、パラメーターをａ，ｂとすると、フィッティングポイントＦに対する累進開始点Ｓの主子午線上の位置は次の条件から求められる。
Ｓｍｍ＝ａ・Ａｄｄ−ｂ          （１）
３≦ａ≦５              （２）
８ｍｍ≦ｂ≦１２ｍｍ        （３）
加入度Ａｄｄは設計上の加入度であり、例えば、０．５０ディオプトリーから３．５０ディオプトリーまでの範囲である。パラメーターａ，ｂは、装用者によって適宜設定される。
【００２３】
累進開始点Ｓ、累進終了点Ｅ、遠用部１の度数Ｄ１、近用部２の度数Ｄ２、加入度Ａｄｄ、累進帯長Ｌ、その他、通常のレンズ設計に必要な条件の数値が求められたら、これらの数値に基づいてレンズ加工をし、さらに、このレンズを図示しないフレームに装着して眼鏡を完成させる。
【００２４】
本発明の累進屈折力眼鏡レンズを設計する方法の第２実施形態を、図２（Ｃ）に基づいて説明する。第２実施形態は第１実施形態とは累進開始点Ｓの位置の制限パラメーターｃを設定する点で相違する。
第２実施形態で設定される累進開始点Ｓの位置の制限パラメーターｃの条件は（４）、（５）に示されている。（４）で示される条件は、レンズ自体の大きさ、装用者の加入度Ａｄｄ等を加味して設定される。
−３ｍｍ≦ｃ＜０ｍｍ        （４）
Ｓｍｍ≦ｃ                  （５）
制限パラメーターｃが設定されると、図２（Ｃ）の想像線で示される通り、フィッティングポイントＦより下方に累進開始点Ｓｏが位置することになり、累進帯長が計算上必要なＬからＬｏと短くなる。
【００２５】
本発明の累進屈折力眼鏡レンズを設計する方法の第３実施形態を説明する。
第３実施形態は、第２実施形態とは下方における累進開始点Ｓの制限パラメーターｆを設定する点で相違する。
第３実施形態で設定される累進開始点Ｓの位置の制限パラメーターｆの条件は（６）、（７）に示されている。（６）、（７）で示される条件は、レンズ自体の大きさ、装用者の加入度Ａｄｄ等を加味して設定される。
−６ｍｍ≦ｆ                （６）
ｆ≦Ｓｍｍ                  （７）
【実施例】
【００２６】
次に、前述の実施形態に対応した実施例について説明する。以下説明する実施例は距離ｄ、累進帯長Ｌを加入度Ａｄｄに応じて設定する例であり、他の条件は従来のレンズ設計方法と同じである。
第１実施形態に対応する実施例１，２について説明する。
実施例１では、下方回旋量が１４ｍｍの場合の装用者の例であり、ａが４であり、ｂが１０ｍｍである。（１）から（３）の式に当てはめた結果を表１に示す。実施例１は下方回旋量が１４ｍｍの場合である。装用者毎に求められた加入度を表１に当てはめ、累進開始点Ｓ、累進帯長Ｌを決定する。
【００２７】
【表１】
0005566823.tif 000002
【００２８】
実施例２は実施例１と同様に、ａが４であり、ｂが１０ｍｍである。（１）から（３）の式に当てはめた結果を表２に示す。実施例２は下方回旋量が１５ｍｍの装用者の例である。
【００２９】
【表２】
0005566823.tif 000003
【００３０】
実施例１，２では、加入度が２．２５ディオプトリー（Ｄ）から０．５０ディオプトリー（Ｄ）の範囲が好適に用いられるが、この範囲以外の範囲においても条件次第では適用可能である。
実施例１で示される通り、加入度Ａｄｄが小さい場合、例えば、０．５０ディオプトリー（Ｄ）の場合には、累進開始点ＳのフィッティングポイントＦに対する位置が−８ｍｍであり（距離ｄ＝８ｍｍ）、累進帯長Ｌが８ｍｍである。これに対して、加入度Ａｄｄが大きい場合、例えば、２．２５ディオプトリー（Ｄ）の場合には、累進開始点ＳのフィッティングポイントＦに対する位置が−１ｍｍであり（距離ｄ＝１ｍｍ）、累進帯長Ｌが１３ｍｍである。
【００３１】
実施例２で示される通り、加入度Ａｄｄが小さい場合、例えば、０．５０ディオプトリー（Ｄ）の場合には、累進開始点ＳのフィッティングポイントＦに対する位置が−８ｍｍであり（距離ｄ＝８ｍｍ）、累進帯長Ｌが７ｍｍであり、これに対して、加入度Ａｄｄが大きい場合、例えば、２．２５ディオプトリー（Ｄ）の場合には、累進開始点ＳのフィッティングポイントＦに対する位置が−１ｍｍであり（距離ｄ＝１ｍｍ）、累進帯長Ｌが１４ｍｍである。
さらに、加入度Ａｄｄの大小にかかわらずフィッティングポイントＦから累進終了点Ｅまでの距離Ｍ、は実施例１では１４ｍｍ、実施例２では１５ｍｍで一定である。
下方回旋量が１４ｍｍの装用者は実施例１に基づいて距離ｄ、累進帯長Ｌを決定し、下方回旋量が１５ｍｍの装用者は実施例２に基づいて距離ｄ、累進帯長Ｌを決定する。
【００３２】
第２実施形態に対応する実施例３，４について説明する。
実施例３は、下方回旋量が１４ｍｍの装用者の例であり、ａが４であり、ｂが１０ｍｍであり、ｃが−２ｍｍである。（１）から（４）の式に当てはめた結果を表３に示す。
【００３３】
【表３】
0005566823.tif 000004
【００３４】
実施例４は実施例３と同様に、ａが４であり、ｂが１０ｍｍであり、ｃが−２ｍｍである。（１）から（４）の式に当てはめた結果を表４に示す。実施例４は下方回旋量が１５ｍｍの装用者の例である。
【００３５】
【表４】
0005566823.tif 000005
【００３６】
実施例３，４では、加入度が２．００ディオプトリー（Ｄ）から０．５０ディオプトリー（Ｄ）の範囲が好適に用いられるが、この範囲以外の範囲においても条件次第では適用可能である。
実施例３で示される通り、加入度Ａｄｄが小さい場合、例えば、０．５０ディオプトリー（Ｄ）の場合には、累進開始点ＳのフィッティングポイントＦに対する位置が−８ｍｍであり（距離ｄ＝８ｍｍ）、累進帯長Ｌが８ｍｍであり、加入度Ａｄｄが大きい場合、例えば、１．７５ディオプトリー（Ｄ）の場合には、累進開始点ＳのフィッティングポイントＦに対する位置が−３ｍｍであり（距離ｄ＝３ｍｍ）、累進帯長Ｌが１１ｍｍである。さらに、加入度Ａｄｄが２．００ディオプトリー（Ｄ）以上の場合には、累進開始点ＳのフィッティングポイントＦに対する位置が−２ｍｍと一定となり（距離ｄ＝２ｍｍ）、累進帯長Ｌが１２ｍｍと一定となる。
実施例４で示される通り、加入度Ａｄｄが小さい場合、例えば、０．５０ディオプトリー（Ｄ）の場合には、累進開始点ＳのフィッティングポイントＦに対する位置が−８ｍｍであり（距離ｄ＝８ｍｍ）、累進帯長Ｌが７ｍｍであり、加入度Ａｄｄが大きい場合、例えば、１．７５ディオプトリー（Ｄ）の場合には、累進開始点ＳのフィッティングポイントＦに対する位置が−３ｍｍであり（距離ｄ＝３ｍｍ）、累進帯長Ｌが１２ｍｍである。さらに、加入度Ａｄｄが２．００ディオプトリー（Ｄ）以上の場合には、累進開始点ＳのフィッティングポイントＦに対する位置が−２ｍｍと一定となり（距離ｄ＝２ｍｍ）、累進帯長Ｌが１３ｍｍと一定となる。
また、加入度Ａｄｄの大小にかかわらずフィッティングポイントＦから累進終了点Ｅまでの距離Ｍ、は実施例３では１４ｍｍ、実施例４では１５ｍｍで一定である。
【００３７】
第３実施形態に対応する実施例５，６について説明する。
実施例５では、下方回旋量が１４ｍｍの装用者の例であり、ａが４であり、ｂが１０ｍｍであり、ｃが−２ｍｍであり、ｆが−６ｍｍである。（１）から（４）の式に当てはめた結果を表５に示す。
【００３８】
【表５】
0005566823.tif 000006
【００３９】
実施例６は実施例５と同様に、ａが４であり、ｂが１０ｍｍであり、ｃが−２ｍｍであり、ｆが−７ｍｍである。（１）から（４）の式に当てはめた結果を表６に示す。実施例６は下方回旋量が１５ｍｍの装用者の例である。
【００４０】
【表６】
0005566823.tif 000007
【００４１】
実施例５，６では、加入度が２．００ディオプトリー（Ｄ）から１．００ディオプトリー（Ｄ）の範囲が好適に用いられるが、この範囲以外の範囲においても条件次第では適用可能である。
実施例５で示される通り、加入度Ａｄｄが小さい場合、例えば、１．００ディオプトリー（Ｄ）の場合には、累進開始点ＳのフィッティングポイントＦに対する位置が−６ｍｍであり（距離ｄ＝６ｍｍ）、累進帯長Ｌが８ｍｍであり、加入度Ａｄｄが大きい場合、例えば、１．７５ディオプトリー（Ｄ）の場合には、累進開始点ＳのフィッティングポイントＦに対する位置が−３ｍｍであり（距離ｄ＝３ｍｍ）、累進帯長Ｌが１１ｍｍである。さらに、加入度Ａｄｄが２．００ディオプトリー（Ｄ）以上の場合には、累進開始点ＳのフィッティングポイントＦに対する位置が−２ｍｍと一定となり（距離ｄ＝２ｍｍ）、累進帯長Ｌが１２ｍｍと一定となる。また、加入度Ａｄｄが１．００ディオプトリー（Ｄ）以下の場合には、累進開始点ＳのフィッティングポイントＦに対する位置が−６ｍｍと一定となり（距離ｄ＝６ｍｍ）、累進帯長Ｌが８ｍｍと一定となる。
【００４２】
実施例６で示される通り、加入度Ａｄｄが小さい場合、例えば、１．００ディオプトリー（Ｄ）の場合には、累進開始点ＳのフィッティングポイントＦに対する位置が−６ｍｍであり（距離ｄ＝６ｍｍ）、累進帯長Ｌが９ｍｍであり、加入度Ａｄｄが大きい場合、例えば、１．７５ディオプトリー（Ｄ）の場合には、累進開始点ＳのフィッティングポイントＦに対する位置が−３ｍｍであり（距離ｄ＝３ｍｍ）、累進帯長Ｌが１２ｍｍである。さらに、加入度Ａｄｄが２．００ディオプトリー（Ｄ）以上の場合には、累進開始点ＳのフィッティングポイントＦに対する位置が−２ｍｍと一定となり（距離ｄ＝２ｍｍ）、累進帯長Ｌが１３ｍｍと一定となる。また、加入度Ａｄｄが１．００ディオプトリー（Ｄ）以下の場合には、累進開始点ＳのフィッティングポイントＦに対する位置が−６ｍｍと一定となり（距離ｄ＝６ｍｍ）、累進帯長Ｌが９ｍｍと一定となる。
加入度Ａｄｄの大小にかかわらずフィッティングポイントＦから累進終了点Ｅまでの距離Ｍ、は実施例５では１４ｍｍ、実施例６では１５ｍｍで一定である。
【００４３】
従って、本実施形態では、次の作用効果を奏することができる。
［１］加入度Ａｄｄが大きい場合には、フィッティングポイントＦに対する累進開始点Ｓの主子午線上の距離ｄを小さくするとともに累進帯長Ｌを長くし、加入度Ａｄｄが小さい場合には、フィッティングポイントＦに対する累進開始点Ｓの主子午線上の距離ｄを大きくするとともに累進帯長Ｌを短くして累進屈折力眼鏡レンズを設計する。そのため、累進屈折力眼鏡レンズを初心者が装用する場合、フィッティングポイントＦを中心とした視野範囲に度数変化部分が入らないため、単焦点レンズのような広い遠用視界を得ることができるので、違和感がなくなる。これに対して、累進屈折力眼鏡レンズを老視が進んだ装用者が装用する場合、加入度Ａｄｄとともに累進帯長Ｌが長く設計されているので、加入度勾配の増加が緩やかであり、眼が疲れることがない。いずれの場合でも、加入度Ａｄｄの大小にかかわらずフィッティングポイントＦから累進終了点Ｅまでの距離Ｍが一定となるように設計されているため、累進終了点Ｅがレンズ周辺部に位置する等の不具合を回避することができる。
【００４４】
［２］フィッティングポイントＦの位置を０とし、フィッティングポイントＦに対する累進開始点Ｓの主子午線上の位置を、加入度をＡｄｄとし、パラメーターをａ，ｂとして、（１）〜（３）で示される式で求めた。そのため、装用者によって加入度Ａｄｄやパラメーターａ，ｂを設定し、種々な条件の下で効率的なレンズ設計を実施することができる。
【００４５】
［３］加入度Ａｄｄの条件に応じて累進開始点Ｓの主子午線上の位置の制限パラメーターｃを（４）の式で設定することで、現実に設計できる累進屈折力眼鏡レンズを提供することができる。
【００４６】
［４］加入度Ａｄｄが２．００ディオプトリー以上の場合にフィッティングポイントＦに対する累進開始点Ｓの位置を−２ｍｍと一定にした。初めて累進レンズを装用する場合は、通常は、加入度が２．００ディオプトリーを超えないようにレンズ設定がされることが多いので、この条件下での実際のレンズ設計が可能となる。
【００４７】
［５］累進開始点Ｓの位置がレンズの下方の位置にあると、累進終了点Ｅがレンズ下端周縁部を外れることになり、非現実的な設計となる。そのため、本実施形態では、下方における累進開始点Ｓの制限パラメーターｆを設定し、合理的なレンズ設計が可能となる。
【００４８】
なお、本発明は、上述した一実施形態に限定されるものではなく、本発明の目的を達成できる範囲で以下に示される変形をも含むものである。
例えば、前記実施形態では、（１）〜（３）の式から累進開始点ＳのフィッティングポイントＦに対する位置を求めるために、装用者の下方回旋量が１４ｍｍと、１５ｍｍとの場合について説明したが、本発明では、それ以外の数値の下方回旋量の装用者についても適用することができる。
【産業上の利用可能性】
【００４９】
本発明は、遠用部、近用部及び累進部を備えた累進屈折力眼鏡レンズに利用することができる。
【符号の説明】
【００５０】
１…遠用部、２…近用部、３…累進部、Ａ…主子午線、Ｆ…フィッティングポイント、Ｓ…累進開始点、Ｅ…累進終了点、ｄ…フィッティングポイントと累進開始点との間の距離、Ｌ…累進帯長、Ａｄｄ…加入度
【図１】
0005566823.tif 000008
【図２】
0005566823.tif 000009